(57)【要約】      （修正有）【課題】画像処理に用いるパラメータのメモリ容量を節約する。【解決手段】被写体像を撮像する撮像装置であって、画像を生成する撮像部と、予め定められた複数の画質調整モードから何れかの画質調整モードを選択するユーザ操作を受け付ける受付部と、撮像装置の機種に依存し、画像を所定の特性を有する画像に変換するための機種依存画像処理条件と、機種に依存せず、複数の画質調整モードの各々に応じた複数のモード別画像処理条件とを記憶する条件記憶部と、機種依存画像処理条件と、ユーザ操作により選択された画質調整モードに応じたモード別画像処理条件とを読み出す読み出し部と、画像に対して機種依存画像処理条件に基づくプレ画像処理を施すとともに、プレ画像処理が施された画像に対して、機種依存画像処理条件およびモード別画像処理条件に基づくポスト画像処理を施す画像処理部とを備える。【選択図】図１
2009038709.tif 000002
【特許請求の範囲】
【請求項１】
被写体像を撮像する撮像装置であって、
画像を生成する撮像部と、
予め定められた複数の画質調整モードから何れかの画質調整モードを選択するユーザ操作を受け付ける受付部と、
前記撮像装置の機種に依存し、前記画像を所定の特性を有する画像に変換するための機種依存画像処理条件と、前記機種に依存せず、前記複数の画質調整モードの各々に応じた複数のモード別画像処理条件とを記憶する条件記憶部と、
前記機種依存画像処理条件と、前記ユーザ操作により選択された画質調整モードに応じた前記モード別画像処理条件とを読み出す読み出し部と、
前記画像に対して前記機種依存画像処理条件に基づくプレ画像処理を施すとともに、前記プレ画像処理が施された画像に対して、前記機種依存画像処理条件および前記モード別画像処理条件に基づくポスト画像処理を施す画像処理部と
を備えたことを特徴とする撮像装置。
【請求項２】
請求項１に記載の撮像装置において、
前記撮像部は、撮像素子と光学ローパスフィルタとを備え、
前記機種依存画像処理条件は、前記撮像素子のダイナミックレンジと、前記撮像素子に固有のノイズと、ＩＳＯ感度設定値またはこれに応じた画像信号へのゲイン値と、前記撮像素子および前記光学ローパスフィルタによる分光特性と、ホワイトバランス調整値との少なくとも一つに応じた条件である
ことを特徴とする撮像装置。
【請求項３】
請求項１または請求項２に記載の撮像装置において、
前記画像処理部は、前記ポスト画像処理として、輪郭強調処理とノイズ除去処理との少なくとも一方を行う
ことを特徴とする撮像装置。
【請求項４】
請求項１から請求項３の何れか１項に記載の撮像装置において、
外部機器と相互に接続可能な通信部をさらに備え、
複数の前記モード別画像処理条件は、前記通信部を介して追加、削除および書き換え可能である
ことを特徴とする撮像装置。
【発明の詳細な説明】
【技術分野】
【０００１】
本発明は、被写体像を撮像する撮像装置に関する。
【背景技術】
【０００２】
撮像装置では、生成した画像データに対して種々の画像処理を施す。この画像処理には、例えば、ホワイトバランス調整、補間処理、色補正処理、階調補正処理など様々な種類がある。特許文献１の発明では、複数種類の画像補正それぞれを定義した各補正値を求めている。
【特許文献１】特開２００５−２０８８８４号公報
【発明の開示】
【発明が解決しようとする課題】
【０００３】
しかし、撮像装置の高機能化および多機能化により、画像処理の種類は非常に多くなっている。そのため、撮像装置において様々な画像処理を実現ために、画像処理に用いるパラメータのメモリ容量が増大してしまうという問題がある。
【０００４】
本発明の撮像装置は、画像処理に用いるパラメータのメモリ容量を節約することを目的とする。
【課題を解決するための手段】
【０００５】
本発明の撮像装置は、被写体像を撮像する撮像装置であって、画像を生成する撮像部と、予め定められた複数の画質調整モードから何れかの画質調整モードを選択するユーザ操作を受け付ける受付部と、前記撮像装置の機種に依存し、前記画像を所定の特性を有する画像に変換するための機種依存画像処理条件と、前記機種に依存せず、前記複数の画質調整モードの各々に応じた複数のモード別画像処理条件とを記憶する条件記憶部と、前記機種依存画像処理条件と、前記ユーザ操作により選択された画質調整モードに応じた前記モード別画像処理条件とを読み出す読み出し部と、前記画像に対して前記機種依存画像処理条件に基づくプレ画像処理を施すとともに、前記プレ画像処理が施された画像に対して、前記機種依存画像処理条件および前記モード別画像処理条件に基づくポスト画像処理を施す画像処理部とを備える。
【０００６】
なお、好ましくは、前記撮像部は、撮像素子と光学ローパスフィルタとを備え、前記機種依存画像処理条件は、前記撮像素子のダイナミックレンジと、前記撮像素子に固有のノイズと、ＩＳＯ感度設定値またはこれに応じた画像信号へのゲイン値と、前記撮像素子および前記光学ローパスフィルタによる分光特性と、ホワイトバランス調整値との少なくとも一つに応じた条件であっても良い。
【０００７】
また、前記画像処理部は、前記ポスト画像処理として、輪郭強調処理とノイズ除去処理との少なくとも一方を行っても良い。
【０００８】
また、好ましくは、外部機器と相互に接続可能な通信部をさらに備え、複数の前記モード別画像処理条件は、前記通信部を介して追加、削除および書き換え可能であっても良い。
【発明の効果】
【０００９】
本発明の撮像装置によれば、画像処理に用いるパラメータのメモリ容量を節約することができる。
【発明を実施するための最良の形態】
【００１０】
以下、図面を用いて本発明の実施形態について説明する。
【００１１】
図１は、本実施形態の電子カメラの概略構成を示す図である。
【００１２】
図１において、電子カメラ１は、撮影レンズ１０、撮像素子１１、Ａ／Ｄ変換器１２、画像処理部１３、圧縮部１４、記録部１５、操作部１６、表示部１７、記録部１８、通信部１９、制御部２０、パラメータ記憶部２１の各部を備える。
【００１３】
不図示の光学ローパスフィルタを有する撮像素子１１により得られた画像データは、Ａ／Ｄ変換器１２でディジタル信号に変換され、画像処理部１３において、画像処理が行われる。そして、画像処理が完了すると、画像処理後の画像データは、圧縮部１４を介して記録部１５へ出力される。画像処理部１３の詳細は後述する。
【００１４】
操作部１６は、不図示のレリーズボタンや選択ボタンを含み各種ユーザ操作を受け付ける。表示部１７は、不図示の表示素子などを備え、画像やメニュー画面などを表示する。記録部１８は、不図示のメモリカードなどの記録媒体を備え、撮像により生成した画像を記録する。通信部１９は、ＵＳＢ、赤外線、Ｂｌｕｅｔｏｏｔｈなどの手段により電子カメラ１と外部機器とを相互に接続可能である。制御部２０は、上述した各部を制御する。パラメータ記憶部２１は、後述する画像処理用パラメータを記憶する。また、制御部２０には、各部の動作内容を示すプログラムが予め記録されている。プログラムは、記録媒体に記録されたものでも良いし、インターネットを介して伝送波としてダウンロードされたものでも良い。
【００１５】
また、電子カメラ１は、予め定められた複数の撮影モードおよび画質調整モードを有する。撮影モードには、「ポートレートモード」や「風景モード」など、撮影条件および画像処理条件が予め定められたモードが含まれる。また、画質調整モードには、メーカー等が推奨する画質調整モードである「Ｓｔａｎｄａｒｄモード」、鮮やかな表現を実現する「Ｖｉｖｉｄモード」、普遍的で自然な表現を実現する「Ｎｅｕｔｒａｌモード」など、画像処理条件が予め定められたモードと、任意のカメラ機種が有するモードと同様の表現を実現する「Ａ機種モードI」および「Ａ機種モードII」など、画像処理条件が予め定め
られたモードとが含まれる。これらのモードは、操作部１６を介したユーザ操作により選択される。また、電子カメラ１は、ノイズを除去する機能を備え、このノイズ除去機能を操作部１６を介したユーザ操作によりＯＮ／ＯＦＦ可能である。
【００１６】
図２は、電子カメラ１における画像処理部１３の機能ブロック図およびパラメータ記憶部２１の詳細を示す図である。
【００１７】
画像処理部１３は、図２に示すように、ホワイトバランス調整部（以下、「ＷＢ調整部」と称する）３０、補間処理部３１、機種依存画像処理部３２、色補正処理部３３、ガンマ処理部３４、輪郭強調処理部３５、ノイズリダクション処理部（以下、「ＮＲ処理部」と称する）３６の各部からなる。
【００１８】
ＷＢ調整部３０は、Ａ／Ｄ変換器１２から出力された画像データに対して、ホワイトバランス調整を行う。そして、ホワイトバランス調整後の画像データを、補間処理部３１に出力する。補間処理部３１は、ホワイトバランス調整後の画像データをエッジ部や平坦部に分類して補間処理を行い、補間処理後の画像データを機種依存画像処理部３２に出力する。機種依存画像処理部３２は、補間処理後の画像データに対して、後述する機種依存画像処理用パラメータに基づく画像処理を施す。そして、機種依存画像処理後の画像データを、色補正処理部３３に出力する。
【００１９】
色補正処理部３３は、補間処理後の画像データに対して、後述するモード別画像処理用パラメータを用いて色補正処理を行い、色補正処理後の画像データをガンマ処理部３４に出力する。ガンマ処理部３４は、色補正処理後の画像データに対して、後述するモード別画像処理用パラメータを用いてガンマ処理を行い、ガンマ処理後の画像データを輪郭強調処理部３５に出力する。輪郭強調処理部３５は、ガンマ処理後の画像データに対して、後述する機種依存画像処理用パラメータおよび後述するモード別画像処理用パラメータを用いて輪郭強調処理を行い、輪郭強調処理後の画像データをＮＲ処理部３６に出力する。
【００２０】
ＮＲ処理部３６は、操作部１６を介したユーザ操作によりノイズ除去機能がＯＮに設定されている場合のみ、輪郭強調処理後の画像データに対して、後述する機種依存画像処理用パラメータおよび後述するモード別画像処理用パラメータを用いてノイズ除去処理を行い、ノイズ除去処理後の画像データを圧縮部１４を介して記録部１５に出力する。
【００２１】
次に、パラメータ記憶部２１の詳細について説明する。パラメータ記憶部２１には、図２に示すように、電子カメラ１の機種に依存し、撮像素子１１により生成した画像を所定の特性（例えば、ダイナミックレンジ、色相、彩度分布など）を有する画像に変換するための機種依存画像処理用パラメータと、電子カメラ１の機種に依存せず、上述した複数のモードの各々に応じた複数のモード別画像処理用パラメータとが予め記憶される。機種依存画像処理用パラメータは、上述した全てのモードにおいて共通のパラメータである。そして、この機種依存画像処理用パラメータを用いて、機種依存画像処理部３２により画像処理を施すことにより、Ａ／Ｄ変換器１２から出力された画像データを、電子カメラ１の機種にかかわらず、所定の特性を有する画像データに変換することができる。
【００２２】
なお、機種依存画像処理用パラメータは、撮像素子１１のダイナミックレンジと、撮像素子１１に固有のノイズと、ＩＳＯ感度設定値と、撮像素子１１および光学ローパスフィルタによる分光特性と、上述したＷＢ調整部３０におけるホワイトバランス調整値との少なくとも一つに応じた条件である。なお、ＩＳＯ感度設定値とは、撮像素子１１と撮像回路との少なくとも一方において、画像データに適用するゲイン値を示す設定値である。
【００２３】
また、機種依存画像処理用パラメータは、輪郭強調処理部３５における輪郭強調処理に用いるパラメータと、ＮＲ処理部３６におけるノイズ除去処理に用いるパラメータとを含む。輪郭強調処理に用いるパラメータには、輪郭を抽出するためのパラメータ（例えば、バンドパスフィルタなど）と、抽出した輪郭を強調するためのパラメータ（例えば、輪郭強調係数など）とが含まれる。
【００２４】
一方、複数のモード別画像処理用パラメータは、例えば、色補正処理部３３による色補正処理に用いる色再現マトリックスと、ガンマ処理部３４によるガンマ処理に用いるガンマカーブと、上述した輪郭強調処理部３５における輪郭強調処理に用いるパラメータと、ＮＲ処理部３６におけるノイズ除去処理に用いるパラメータとを含む。
【００２５】
以上説明した電子カメラ１における撮像時の制御部２０の動作について説明する。図３は、電子カメラ１における撮像時の制御部２０の動作を示すフローチャートである。
【００２６】
ステップＳ１において、制御部２０は、操作部１６を介してユーザによる撮像指示が行われたか否かを判定する。そして、撮像指示が行われたと判定すると、制御部２０は、ステップＳ２に進む。
【００２７】
ステップＳ２において、制御部２０は、各部を制御して撮像を開始する。
【００２８】
ステップＳ３において、制御部２０は、ユーザにより選択されたモードを認識する。
【００２９】
ステップＳ４において、制御部３０は、ノイズ除去のＯＮ／ＯＦＦを認識する。
【００３０】
ステップＳ５において、制御部２０は、機種依存画像処理用パラメータを、パラメータ記憶部２１から読み出す。なお、機種依存画像処理用パラメータには、上述したように、ノイズ除去処理に用いるパラメータが含まれる。制御部２０は、ステップＳ４においてノイズ除去機能ががＯＮに設定されていると認識した場合のみ、ノイズ除去処理に用いるパラメータを読み出す。
【００３１】
ステップＳ６において、制御部２０は、ステップＳ３で認識したモードに応じたモード別画像処理用パラメータを、パラメータ記憶部２１から読み出す。なお、モード別画像処理用パラメータには、上述したように、ノイズ除去処理に用いるパラメータが含まれる。制御部２０は、ステップＳ４においてノイズ除去機能ががＯＮに設定されていると認識した場合のみ、ノイズ除去処理に用いるパラメータを読み出す。
【００３２】
ステップＳ７において、制御部２０は、ステップＳ５で読み出した機種依存画像処理用パラメータを画像処理部１３の機種依存画像処理部３２、輪郭強調処理部３５、ＮＲ処理部３６の各部に出力するとともに、ステップＳ６で読み出したモードに応じたモード別画像処理用パラメータを画像処理部１３の色補正処理部３３、ガンマ処理部３４、輪郭強調処理部３５、ＮＲ処理部３６の各部に出力する。
【００３３】
ステップＳ８において、制御部２０は、画像処理部１３を制御して、ステップＳ２で開始した撮像により得られた画像の画像データに対する画像処理を行う。なお、画像処理部１３の機種依存画像処理部３２は、ステップＳ５で読み出した機種依存画像処理用パラメータに基づいて画像処理を行い、画像処理部１３の色補正処理部３３およびガンマ処理部３４は、ステップＳ６で読み出したモード別画像処理用パラメータに基づいて画像処理を行う。さらに、画像処理部１３の輪郭強調処理部３５およびＮＲ処理部３６は、ステップＳ５で読み出した機種依存画像処理用パラメータとステップＳ６で読み出したモード別画像処理用パラメータとを組み合わせて画像処理を行う。なお、ＮＲ処理部３６におけるノイズ除去処理は、ステップＳ４においてノイズ除去機能がＯＮに設定されていると認識した場合のみ行われる。
【００３４】
なお、色補正処理部３３、ガンマ処理部３４、輪郭強調処理部３５、ＮＲ処理部３６の各部における処理において、ＷＢ調整部３０、補間処理部３１、機種依存画像処理部３２で行った画像処理を反映させても良い。例えば、ＷＢ調整部３０において用いたホワイトバランス調整値に応じて、輪郭強調処理部３５およびＮＲ処理部３６で用いるパラメータを算出する算出式を、機種依存画像処理用パラメータおよびモード別画像処理用パラメータとして記憶する構成としても良い。ホワイトバランス調整値がより大きい場合（ＷＢゲインが大きい場合）には、輪郭強調処理部３５における輪郭強調処理を抑制するのが好ましく、また、ホワイトバランス調整値がより大きい場合（ＷＢゲインが大きい場合）には、ＮＲ処理部３６におけるノイズ除去処理の度合いを強めるのが好ましい。
【００３５】
以上説明したように、機種依存画像処理部３２は、常に同じパラメータ（機種依存画像処理用パラメータ）に基づいて同じ画像処理を行い、色補正処理部３３およびガンマ処理部３４は、ユーザにより選択されたモードに応じた画像処理を行う。また、輪郭強調処理部３５およびＮＲ処理部３６は、常に同じパラメータ（機種依存画像処理用パラメータ）をベースに、ユーザにより選択されたモードに応じた画像処理を行う。
【００３６】
ステップＳ９において、制御部２０は、ステップＳ８で画像処理が施された画像データに対して圧縮処理を行う。
【００３７】
ステップＳ１０において、制御部２０は、ステップＳ９で圧縮処理が施された画像データを記録部１８に記録し、一連の処理を終了する。
【００３８】
なお、上述した複数のモード別画像処理用パラメータは、通信部１９を介して、外部のコンピュータ、他の電子カメラ、ネットワークにより追加、削除、書き換え可能である。上述したように、複数のモード別画像処理用パラメータは、電子カメラ１の機種に依存しない。そのため、例えば、メーカー等が用意した新たなモード別画像処理用パラメータを、通信部１９を介してパラメータ記憶部２１に追加することにより、電子カメラ１に新たなモードを追加することができる。なお、この時には、機種依存画像処理用パラメータに関しては追加する必要がない。そのため、追加に必要なメモリ量を節約することができる。
【００３９】
また、各機種ごとに用意された機種依存画像処理用パラメータに基づく機種依存画像処理により、複数の同一の機種間、あるいは、複数の異なる機種間において、Ａ／Ｄ変換器１２から出力された画像データを、電子カメラ１の機種にかかわらず、所定の特性を有する画像データに変換することができる。そのため、メーカー等が用意すべき新たなモード別画像処理用パラメータを、複数の同一の機種間、あるいは、複数の異なる機種間で共用することができる。したがって、各機種ごとに全ての画像処理に用いる画像処理用パラメータを用意する場合と比較して、設計を効率化することができる。また、ユーザにとっては、同一の機種の複数の電子カメラ、あるいは、機種の異なる複数の電子カメラを利用しても、同様のモード別画像処理用パラメータに基づいて、同様の画像処理を行い、同様の表現の画像を得ることができる。
【００４０】
また、電子カメラ１の外部機器であるコンピュータ等により新たなモード別画像処理用パラメータを作成し、そのモード別画像処理用パラメータをパラメータ記憶部２１に追加する構成としても良い。例えば、従来より、ガンマ処理に用いるガンマカーブを、コンピュータのアプリケーションを利用したユーザ操作により作成することが行われている。従来、ガンマ処理は、機種依存および非機種依存の特性等が考慮された基準のガンマカーブ（図４の（１））を基に行われていた。そのため、カスタムガンマカーブを作成する際に、アプリケーションでは、カスタムガンマカーブを使用する機種に応じて、その機種固有の基準ガンマカーブを選択し、選択した機種固有の基準ガンマカーブに対して、ユーザにより指示された調整量を加算してカスタムガンマカーブを作成していた。
【００４１】
具体的には、基準ガンマカーブを図５（２）に示す直線として表示し、この図５（２）に示す直線に対して、ユーザにより調整が行われた図５（３）に示すカーブを得る。そして、図５（２）に示す直線から、ユーザにより調整が行われた図５（３）に示すカーブへの変化量（調整量）を求め、求めた変化量を、図４（１）に示す機種ごとに異なる基準ガンマカーブに加算することにより、図４（４）に示すカスタムガンマカーブを作成する。ガンマカーブの調整に際して、図４の（１）に示す基準ガンマカーブではなく、図５（２）に示す直線の形で表示するのは、ユーザによる調整を直感的に行わせるためである。この場合、アプリケーションでは、カスタムガンマカーブを作成するために、図４の（１）に示す、機種ごとに異なる（機種依存の）基準ガンマカーブを、機種ごとに予め記憶しておく必要があった。
【００４２】
本実施形態では、電子カメラ１の機種に依存する画像処理用パラメータ（機種依存画像処理用パラメータ）と電子カメラ１の機種に依存しない画像処理用パラメータ（モード別画像処理用パラメータ）とを分離する。そして、電子カメラ１内において、機種依存画像処理部３２では機種依存画像処理パラメータを用いて電子カメラ１の機種に依存するガンマ処理を行い、ガンマ処理部３４ではモード別画像処理用パラメータを用いて電子カメラ１の機種に依存しないガンマ処理を別途行う。よって、ユーザにより調整されたカスタムガンマカーブを適用する際は、機種に依存しないモード別画像処理用パラメータのうち、ガンマ処理に用いられる基準ガンマカーブを調整すれば良い。そのため、アプリケーションでは、カスタムガンマカーブを作成するために、機種ごとに異なる（機種依存の）基準ガンマカーブを、機種ごとに予め記憶しておく必要が無く、機種に依存しない共通のモード別画像処理用パラメータとして基準ガンマカーブのみを記憶しておき、この基準ガンマカーブを基にカスタムガンマカーブを作成すればよい。
【００４３】
なお、本実施形態では、機種に依存しない共通の基準ガンマカーブを基にカスタムガンマカーブを作成するため、ユーザによる変化量（調整量）のみをカスタムガンマカーブのデータとして作成してカスタムガンマカーブのデータ量を削減している。そのため、電子カメラ１では、図５（２）に示す直線から、ユーザにより調整が行われた図５（３）に示すカーブへの変化量（調整量）を差分データとして読み込み、機種に依存しない共通の基準ガンマカーブに差分をデータを加算して作成したカスタムガンマカーブを用いて、電子カメラ１の機種に依存しないガンマ処理をガンマ処理部３４において行う。
【００４４】
さらに、パラメータ記憶部２１に記憶されたモード別画像処理用パラメータに関しては、不用なものを適宜削除可能な構成とすることにより、ユーザにとって有用なモードのみを電子カメラ１に残すことが可能であるとともに、ユーザにとって不用なモードによってメモリが占有される問題を回避することができる。
【００４５】
さらに、パラメータ記憶部２１に記憶されたモード別画像処理用パラメータに関して、その一部をユーザ操作にしたがって、変更して書き換え可能な構成とすることにより、よりユーザの要望に沿った画像処理を実現することができる。
【００４６】
なお、輪郭強調処理およびノイズ除去処理に関しては、機種依存画像処理用パラメータおよびモード別画像処理用パラメータの両方を備える例を示した。この場合、機種依存画像処理用パラメータとして基本的なパラメータを記憶しておき、モード別画像処理用パラメータとして、前述した基本的なパラメータに乗ずべき係数の形や、基本的なパラメータをモード別画像処理に用いるための変換式の形の差分を記憶する構成としても良い。
【００４７】
また、  パラメータ記憶部２１に記憶されたモード別画像処理用パラメータを追加または書き換える際には、差分のみを追加または書き換える構成としても良い。例えば、メーカー等が推奨する画質調整モードである「Ｓｔａｎｄａｒｄモード」を削除および変更不可能にしておき、この「Ｓｔａｎｄａｒｄモード」のモード別画像処理用パラメータとの差分のみを追加または書き換える構成としても良い。
【００４８】
以上説明したように、本実施形態によれば、撮像装置の機種に依存し、画像を所定の特性を有する画像に変換するための機種依存画像処理条件と、機種に依存せず、複数の画質調整モードの各々に応じた複数のモード別画像処理条件とを記憶し、画像に対して機種依存画像処理条件に基づくプレ画像処理を施すとともに、プレ画像処理が施された画像に対して、前記機種依存画像処理条件およびモード別画像処理条件に基づくポスト画像処理を施す。すなわち、撮像装置の機種に依存する画像処理と機種に依存しない画像処理とを分離し、それぞれの画像処理に用いるパラメータを独立に持つ。そのため、従来のように、各機種、各モードごとに全ての画像処理に用いる画像処理用パラメータを用意する必要がない。したがって、画像処理に用いるパラメータのメモリ容量を節約することができる。
【００４９】
また、本実施形態によれば、機種依存画像処理条件は、撮像素子のダイナミックレンジと、撮像素子に固有のノイズと、ＩＳＯ感度設定値またはこれに応じた画像信号へのゲイン値と、撮像素子および光学ローパスフィルタによる分光特性と、ホワイトバランス調整値との少なくとも一つに応じた条件である。そのため、この機種依存画像処理条件に基づく画像処理を行うことにより、撮像部により生成した画像を、機種にかかわらず所定の特性を有する画像に変換することができる。したがって、機種依存画像処理条件に基づく画像処理後のモードに応じた画像処理に用いるモード別画像処理用パラメータを複数の機種間で共有することができる。そのため、画像処理に関する設計を効率化することができる。
【００５０】
また、本実施形態によれば、複数のモード別画像処理条件は、通信部を介して追加、削除および書き換え可能である。したがって、モードに応じた画像処理に用いるパラメータのみを適宜追加、削除および書き換えることにより、追加、削除および書き換えに関わるデータ量を抑えるとともに、メモリ容量を節約することができる。
【００５１】
なお、本実施形態で説明した画像処理部１３は一例であり、本発明はこの例に限定されない。例えば、画像処理部１３内の各部（ＷＢ調整部３０、補間処理部３１、機種依存画像処理部３２、色補正処理部３３、ガンマ処理部３４、輪郭強調処理部３５、ＮＲ処理部３６）の配置順や内容についてもこの例に限定されない。例えば、ＮＲ処理部３６によりノイズ除去処理を行った後に、輪郭強調処理部３５により輪郭強調処理を行う構成とすれば、輪郭強調処理によってノイズが強調されてしまうことを防ぐことができる。
【００５２】
また、本実施形態では、ＮＲ処理部３６によるノイズ除去機能を、操作部１６を介したユーザ操作によりＯＮ／ＯＦＦ可能である例を示したが、ＯＮ、ＯＦＦの他に段階的に（例えば、「強」、「弱」など）選択可能な構成としても良い。また、輪郭強調処理部３５による輪郭強調処理についても、操作部１６を介したユーザ操作によりＯＮ／ＯＦＦ可能にしても良いし、ＯＮ、ＯＦＦの他に段階的に（例えば、「強」、「弱」など）選択可能な構成としても良い。
【００５３】
また、本実施形態では、複数のモード別画像処理用パラメータとして、色補正処理、ガンマ処理、輪郭強調処理、ノイズ除去処理の各処理に用いるパラメータを例に挙げて説明したが、本発明はこの例に限定されない。例えば、ＷＢ調整部３０や補間処理部３１に関するパラメータにも本発明を同様に適用することができる。
【００５４】
また、本実施形態では、撮影モードおよび画質調整モードは、操作部１６を介したユーザ操作により選択される例を示したが、制御部２０により何れかのモードを自動で選択する場合にも本発明を同様に適用することができる。
【図面の簡単な説明】
【００５５】
【図１】本実施形態の電子カメラの概略構成を示す図である。
【図２】本実施形態の電子カメラ１における画像処理部１３の機能ブロック図およびパラメータ記憶部２１の詳細を示す図である。
【図３】本実施形態の電子カメラ１における撮像時の制御部２０の動作を示すフローチャートである。
【図４】カスタムガンマカーブについて説明する図である。
【図５】カスタムガンマカーブについて説明する別の図である。
【符号の説明】
【００５６】
１…電子カメラ，１１…撮像素子，１３…画像処理部，２０…制御部，２１…パラメータ記憶部，３２…機種依存画像処理部，３３…色補正処理部，３４…ガンマ処理部
【図１】
2009038709.tif 000003
【図２】
2009038709.tif 000004
【図３】
2009038709.tif 000005
【図４】
2009038709.tif 000006
【図５】
2009038709.tif 000007